(57)【特許請求の範囲】
【請求項１】
撮像手段と、
この撮像手段によって撮像された動画を記憶する記憶手段と、
この記憶手段に記憶される動画とともに当該動画の撮影時間を記憶する撮影時間記憶手段と、
前記撮像手段により連続的に撮像される画像と前記記憶手段に記憶された動画とを同時に表示する表示手段と、
この表示手段に前記連続的に撮像された画像と前記記憶手段に記憶されている動画とを同時に表示する際、前記撮影時間記憶手段に記憶されている撮影時間に基づいて表示経過時間を表示するよう制御する経過時間表示手段と、
前記表示手段に表示されている状態を動画として記憶する動画記憶手段と
を具備することを特徴とする撮像装置。
【請求項２】
前記表示手段に前記記憶された動画と前記連続的に撮像された画像とを表示させるとき、少なくとも一方の動画又は画像を前記表示手段の表示領域の一部を占有するように表示させる表示制御手段をさらに具備することを特徴とする請求項１記載の撮像装置。
【請求項３】
前記記憶された動画と前記連続的に撮像された画像のうち、前記表示制御手段により前記表示手段の表示領域の一部を占有するように表示させる画像を選択する選択手段をさらに具備することを特徴とする請求項２記載の撮像装置。
【請求項４】
前記選択手段により選択された動画又は画像の表示位置を設定する表示位置設定手段をさらに具備することを特徴とする請求項３記載の撮像装置。
【請求項５】
前記選択手段により選択された動画又は画像の表示サイズを設定する表示領域設定手段をさらに具備することを特徴とする請求項３記載の撮像装置。
【請求項６】
前記撮影時間記憶手段に記憶されている撮影時間と、前記撮像手段により連続的に撮像される撮影時間とを比較する比較手段と、
この比較手段により、前記撮像手段により連続的に撮像される撮影時間の方が長くなった場合、前記撮像手段により連続的に撮像される画像を優先して前記表示手段に表示するよう変更する変更手段と
をさらに具備することを特徴とする請求項１乃至５の何れかに記載の撮像装置。
【請求項７】
撮像部にて撮像された動画を第１のメモリに記憶させる記憶ステップと、
この記憶ステップにて記憶される動画とともに当該動画の撮影時間を前記第１のメモリに記憶させる撮影時間記憶ステップと、
前記撮像部により連続的に撮像される画像と前記第１のメモリに記憶された動画とを同時に表示部に表示させる表示ステップと、
この表示ステップにて前記連続的に撮像された画像と前記第１のメモリに記憶されている動画とを同時に表示する際、前記撮影時間記憶ステップにて前記第１のメモリに記憶されている撮影時間に基づいて表示経過時間を表示するよう制御する経過時間表示ステップと、
この表示されている状態を動画として第２のメモリに記憶させる動画記憶ステップと
からなることを特徴とする動画記憶方法。
【請求項８】
コンピュータを、
撮像部にて撮像された画像を第１のメモリに記憶させる記憶制御手段、
この記憶制御手段によって記憶される動画とともに当該動画の撮影時間を前記第１のメモリに記憶させる撮影時間記憶制御手段、
前記撮像部により連続的に撮像される画像と前記第１のメモリに記憶された動画とを同時に表示部に表示させる表示制御手段、
この表示制御手段によって前記連続的に撮像された画像と前記第１のメモリに記憶されている動画とを同時に表示する際、前記撮影時間記憶制御手段によって前記第１のメモリに記憶されている撮影時間に基づいて表示経過時間を表示するよう制御する経過時間表示制御手段、
この表示されている状態を動画として第２のメモリに記憶させる動画記憶制御手段
として機能させることを特徴とする動画記憶プログラム。
【発明の詳細な説明】
【技術分野】
【０００１】
本発明は、撮像装置、動画記憶方法および動画記憶プログラムに関する。
【背景技術】
【０００２】
従来より、撮像機能を有するデジタルカメラや携帯電話においては、静止画を撮影する際、画角の左右でそれぞれ撮影した静止画を合成するカップリングショットなどに代表される多重露光撮影による特殊効果を狙った機能を有するものがあった（例えば特許文献１参照）。
【特許文献１】特開２００４−０２３１６５号公報
【発明の開示】
【発明が解決しようとする課題】
【０００３】
ところで、近年、デジタルカメラや携帯電話などでは、静止画に加えて動画撮影可能なものが広く普及している。しかしながら、上記従来技術では、静止画のみを合成の対象にしていたため、動画での合成が困難であった。このため、せっかく静止画に加えて動画を撮影できるにもかかわらず、その機能を十分に生かすことができないという問題があった。
【０００４】
そこで本発明は、静止画に加えて撮影動画に対しても、より効果的な合成映像効果を得ることができる撮像装置、動画記憶方法および動画記憶プログラムを提供することを目的とする。
【課題を解決するための手段】
【０００５】
上記目的達成のため、請求項１記載の発明は、撮像手段と、この撮像手段によって撮像された動画を記憶する記憶手段と、この記憶手段に記憶される動画とともに当該動画の撮影時間を記憶する撮影時間記憶手段と、前記撮像手段により連続的に撮像される画像と前記記憶手段に記憶された動画とを同時に表示する表示手段と、この表示手段に前記連続的に撮像された画像と前記記憶手段に記憶されている動画とを同時に表示する際、前記撮影時間記憶手段に記憶されている撮影時間に基づいて表示経過時間を表示するよう制御する経過時間表示手段と、前記表示手段に表示されている状態を動画として記憶する動画記憶手段とを具備することを特徴とする。
【０００６】
また請求項２記載の発明は、上記請求項１記載の発明において、前記表示手段に前記記憶された動画と前記連続的に撮像された画像とを表示させるとき、少なくとも一方の動画又は画像を前記表示手段の表示領域の一部を占有するように表示させる表示制御手段をさらに具備することを特徴とする。
【０００７】
また請求項３記載の発明は、上記請求項２記載の発明において、前記記憶された動画と前記連続的に撮像された画像のうち、前記表示制御手段により前記表示手段の表示領域の一部を占有するように表示させる画像を選択する選択手段をさらに具備することを特徴とする。
【０００８】
また請求項４記載の発明は、上記請求項３記載の発明において、前記選択手段により選択された動画又は画像の表示位置を設定する表示位置設定手段をさらに具備することを特徴とする。
【０００９】
また請求項５記載の発明は、上記請求項３記載の発明において、前記選択手段により選択された動画又は画像の表示サイズを設定する表示領域設定手段をさらに具備することを特徴とする。
【００１２】
また請求項６記載の発明は、上記請求項１乃至５の何れかに記載の発明において、前記撮影時間記憶手段に記憶されている撮影時間と、前記撮像手段により連続的に撮像される撮影時間とを比較する比較手段と、この比較手段により、前記撮像手段により連続的に撮像される撮影時間の方が長くなった場合、前記撮像手段により連続的に撮像される画像を優先して前記表示手段に表示するよう変更する変更手段とをさらに具備することを特徴とする。
【００１３】
また、上記目的達成のため、請求項７記載の発明は、撮像部にて撮像された動画を第１のメモリに記憶させる記憶ステップと、この記憶ステップにて記憶される動画とともに当該動画の撮影時間を前記第１のメモリに記憶させる撮影時間記憶ステップと、前記撮像部により連続的に撮像される画像と前記第１のメモリに記憶された動画とを同時に表示部に表示させる表示ステップと、この表示ステップにて前記連続的に撮像された画像と前記第１のメモリに記憶されている動画とを同時に表示する際、前記撮影時間記憶ステップにて前記第１のメモリに記憶されている撮影時間に基づいて表示経過時間を表示するよう制御する経過時間表示ステップと、この表示されている状態を動画として第２のメモリに記憶させる動画記憶ステップとからなることを特徴とする。
【００１４】
また、上記目的達成のため、請求項８記載の発明は、コンピュータを、撮像部にて撮像された画像を第１のメモリに記憶させる記憶制御手段、この記憶制御手段によって記憶される動画とともに当該動画の撮影時間を前記第１のメモリに記憶させる撮影時間記憶制御手段、前記撮像部により連続的に撮像される画像と前記第１のメモリに記憶された動画とを同時に表示部に表示させる表示制御手段、この表示制御手段によって前記連続的に撮像された画像と前記第１のメモリに記憶されている動画とを同時に表示する際、前記撮影時間記憶制御手段によって前記第１のメモリに記憶されている撮影時間に基づいて表示経過時間を表示するよう制御する経過時間表示制御手段、この表示されている状態を動画として第２のメモリに記憶させる動画記憶制御手段として機能させることを特徴とする。
【発明の効果】
【００１５】
本発明によれば、撮影動画に対して撮影時間に合わせたより効果的な合成映像効果を得ることができるという利点が得られる。
【発明を実施するための最良の形態】
【００２５】
以下、本発明の実施の形態を、図面を参照して説明する。
Ａ．実施形態の構成
図１は、本発明の実施形態によるデジタルカメラの構成を示すブロック図である。図において、画像取得部１０は、レンズ１１、シャッター１２、ＬＰＦ１３からなる。レンズ１１は、通常の光学レンズであり、非球面レンズを重ねたレンズ群からなる。シャッター１２は、シャッタボタン２７１が操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行う。ＬＰＦ１３は、水晶ローパスフィルタであり、モアレの発生を防ぐために搭載されている。
【００２６】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行う。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００２７】
次に、制御部（ＣＰＵ）２０は、後述するプログラムメモリ格納されるプログラムに従ってデジタルカメラ１（撮像装置）の全体を制御する。特に、本実施形態では、動画撮影モードにおいて、既に撮影した動画とこれから撮影する動画との合成処理、一方の動画を子画面とし、他方の動画を親画面とするかの選択処理、親画面に対する子画面の位置、サイズの設定処理などを行う。また、制御部（ＣＰＵ）２０は、これから動画を撮影する際には、既に撮影した動画の撮影時間を表示部２５に減算表示するようになっている。
【００２８】
プレビューエンジン２２は、録画モード（記録モード、撮影モードともいう）において、画像取得部１０、アナログ信号処理部１５を介して入力されたデジタルデータ、もしくはシャッター操作検出直後、イメージバッファ２６に格納されたデジタルデータ、および、画像メモリ３１に格納されたデジタルデータを表示部２５に表示させるために間引き処理を行う。Ｄ／Ａコンバータ２３は、プレビューエンジン２２により間引き処理されたデジタルデータを変換し、後段のドライバ２４に出力する。
【００２９】
ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。
【００３０】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、シャッタボタンや、記録／再生モード選択スライドスイッチ、メニューボタン、十字キー（中央押しで決定）などからなる。
【００３１】
デジタル信号処理部２８は、アナログ信号処理部１５を介して入力されたデジタルデータに対して、ホワイトバランス処理、色処理、階調処理、輸郭強調、ＲＧＢ形式からＹＵＶ形式への変換、ＹＵＶ形式からＪＰＥＧ形式への変換を行う。また、デジタル信号処理部２８は、画像取得部１０およびアナログ信号処理部１５により取り込んだ画像データからＥｘｉｆ規格に従った画像ファイルを生成する。
【００３２】
また、デジタル信号処理部２８は、ＪＰＥＧ変換されたフレーム画像からモーションＪＰＥＧ形式の動画を生成する。画像圧縮／伸張処理部２９は、デジタル信号処理部２８を介して入力されたデジタルデータをＪＰＥＧ方式に圧縮符号化したり、モーションＪＰＥＧ形式の動画ファイルを生成したり、モーションＪＰＥＧ形式の動画ファイルをＭＰＥＧ形式の動画ファイルに変換したり、再生モードにおいては、ＪＰＥＧ形式、モーションＪＰＥＧ形式、あるいはＭＰＥＧ形式の動画ファイルを伸張したりする。
【００３３】
プログラムメモリ３０は、制御部２０にロードされる各種プログラムや、ベストショット機能におけるＥＶ値、色補正情報などを格納する。画像メモリ３１は、イメージバッファ２６に一時的に保持された画像データや、各種ファイル形式に変換されたデジタルデータ、動画データなどを格納する。カードＩ／Ｆ３２は、外部記録媒体３３と撮像装置本体との間のデータ交換を制御する。
【００３４】
外部記録媒体３３は、コンパクトフラッシュ（登録商標）、メモリースティック、ＳＤカード等からなる着脱可能な記録媒体である。外部接続用Ｉ／Ｆ３４は、ＵＳＢコネクター用スロットなどからなり、パーソナルコンピュータなどと接続され、撮影した画像データの転送などに用いられる。ＲＡＭ３５は、制御部（ＣＰＵ）２０の制御に必要な各種パラメータや、後述する動画撮影時の撮影時間（＝カウンタＴａ）、動画を合成する際に必要な設定値を保持する合成設定テーブルなどを記憶する。
【００３５】
Ｂ．実施形態の動作
次に、上述した実施形態の動作について説明する。
Ｂ−１．動画撮影モード処理
ここで、図２ないし図４は、本実施携帯によるデジタルカメラの動作を説明するためのフローチャートである。図５は、１回目の動画撮影時のスルー表示の表示例を示す模式図である。また、図６は、２回目の動画撮影終了後のスルー表示の表示例を示す模式図である。図７は、合成画面（子画面、親画面）設定直後のスルー表示の表示例を示す模式図である。図８（ａ）〜（ｃ）は、２回目の動画撮影時のスルー表示の表示例を示す模式図である。
【００３６】
ユーザにより動画撮影モードが選択されると、まず、図５に示すように、画像取得部１０から撮り込んだ画像をそのまま表示部２５に表示させるスルー画像表示とする（ステップＳ１０）。該スルー画像表示状態において、撮影開始指示が検出されたか否かを判断する（ステップＳ１２）。ユーザは、シャッタキーや、動画撮影開始のボタンを押下することにより撮影開始を指示する。
【００３７】
そして、撮影開始指示が検出されなければ、ステップＳ１０に戻り、スルー画像表示を継続する。一方、撮影開始指示が検出されると、画像取得部１０からフレーム画像を撮り込み、モーションＪＰＥＧ形式で順次画像メモリ３１に保存し（ステップＳ１４）、撮影終了指示が検出されたか否かを判断する（ステップＳ１６）。ユーザは、再度、シャッタキーや、動画撮影開始のボタンを押下することにより撮影終了を指示する。
【００３８】
そして、撮影終了指示が検出されなければ、ステップＳ１６に戻り、モーションＪＰＥＧ形式による動画の撮り込みを継続する。一方、撮影終了指示が検出されると、撮影時間を示すカウンタＴａを保存し（ステップＳ１８）、図６に示すように、再び、画像取得部１０から撮り込んだ画像をそのまま表示部２５に表示させるスルー画像表示とする（ステップＳ２０）。このとき、既に撮影した動画がある旨をアイコン１００で表示する。
【００３９】
次に、例えば、ユーザのジョグダイヤル操作などによる、既に撮像された動画と新たに撮影する動画とを合成する動画合成指示が検出されたか否かを判断する（ステップＳ２２）。ここで、動画合成指示が検出されなければ、ステップＳ１４で撮り込んだモーションＪＰＥＧ形式の動画をＭＰＥＧ形式に圧縮して保存する（ステップＳ２４）。
【００４０】
一方、動画合成指示が検出されると、既に撮像された動画と新たに撮影する動画とのどうちらを親画面とし、どちらを子画面とするかを設定する合成方法設定処理を実行する（ステップＳ２６）。なお、該合成方法設定処理の詳細については後述する。どちらの動画を親画面とするが設定されると、次に、２回目の動画撮影を行うために、図７に示すように、画像取得部１０から撮り込んだ画像をそのまま表示部２５に表示させるスルー画像表示とする（ステップＳ２８）。このとき、画面には、動画合成の状態がアイコン１０１で表示される。
【００４１】
次に、上記スルー画像表示状態において、撮影開始指示が検出されたか否かを判断する（ステップＳ３０）。そして、撮影開始指示が検出されなければ、ステップＳ２８に戻り、スルー画像表示を継続する。一方、撮影開始指示が検出されると、図８（ａ）、（ｂ）に示すように、画像メモリ３１に保存された動画を子画面１０２に再生表示させつつ、表示部２５に表示されている画面（子画面とスルー表示されている親画面）を１つの動画として順次撮り込み、ＭＰＥＧ圧縮して保存する（ステップＳ３２）。
【００４２】
図８（ａ）には、１回目の動画を子画面とする場合を示しており、図８（ｂ）には、２回目（今回）の動画を子画面とする場合を示している。このとき、画面には、現在の撮影計測カウンタ２００と、ＲＡＭ３５に保存されている動画の再生時間（＝カウンタＴａ）とを表示する。一般的に、合成された動画において、親画面で再生される動画を子画面で再生される動画より長時間とした方が、見易さの点で好ましい。そこで、１回目の再生時間を示すカウンタＴａを表示することで、２回目の撮影の終了タイミングをユーザに知らしめるようにしている。なお、カウンタＴａは、減算表示とする。
【００４３】
次に、上述した２回目の撮影において、カウンタＴａがタイムアップしたか、すなわち２回目の撮影時に１回目の再生時間が終了したか否かを判断する（ステップＳ３４）。ここで、カウンタＴａがタイムアップしていない場合、すなわち、１回目の再生時間が終了していなければ、撮影終了指示が検出されたか否かを判断する（ステップＳ３６）。そして、撮影終了指示が検出されなければ、ステップＳ３２に戻り、画像メモリ３１に保存された動画を子画面１０２に再生表示させつつ、表示部２５に表示されている画面（子画面とスルー表示されている親画面）を１つの動画としてＭＰＥＧ圧縮して保存する動作を継続する。
【００４４】
一方、上述した２回目の撮影において、カウンタＴａがタイムアップした場合には、スルー画像上の、画像メモリ３１に保存されている１回目の動画の表示を止め、表示部２５に表示されている画面（スルー表示されている親画面）を１つの動画としてＭＰＥＧ圧縮して保存していく（ステップＳ３８）。このとき、認知しやすいように、カウンタＴａを撮影計測カウンタ２００と異なる色、例えば黄色で表示する。
【００４５】
なお、１回目の動画が子画面に設定されている場合には、再生が終了した子画面を予め設定されているトランジション効果を用いて画面上から消すようにしてもよい。また、１回目の動画が親画面に設定されている場合には、再生が終了した親画面を予め設定された色の画面（例えば、ブルー画面）とするか、図８（ｃ）に示すように、子画面に表示されている２回目の動画が徐々にズームして表示領域全体に広がるように表示を切り替えるようにしてもよい。
【００４６】
次に、撮影終了指示が検出されたか否かを判断し（ステップＳ４０）、撮影終了指示が検出されなければ、ステップＳ３８に戻り、表示部２５に表示されている画面（スルー表示されている親画面）を１つの動画としてＭＰＥＧ圧縮して保存する動作を繰り返す。そして、撮影終了指示が検出されると、ＭＰＥＧ圧縮された動画をフィル化して保存する（ステップＳ４２）。
【００４７】
また、２回目の撮影において、１回目の１回目の再生時間が終了し（ステップＳ３４のＮＯ）、撮影終了指示が検出された場合には（ステップＳ３６のＹＥＳ）、１回目の撮影動画について編集指示が検出されたか否かを判断する（ステップＳ４４）。そして、１回目の撮影動画について編集指示が検出された場合には、２回目の撮影時間に合わせて１回目の撮影動画を編集（カット）する（ステップＳ４６）。その後、ステップＳ４２へ進み、ＭＰＥＧ圧縮された動画をフィル化して保存する。
【００４８】
一方、１回目の撮影動画について編集指示が検出されなかった場合には、２回目の撮影動画に予め設定された色のフレーム（例えば、黒フレーム）を追加して、カウントＴａに合わせる（ステップＳ４８）。その後、ステップＳ４２へ進み、ＭＰＥＧ圧縮された動画をフィル化して保存する。
【００４９】
Ｂ−２．合成設定画面表示処理
次に、上述した合成設定画面表示処理の動作について説明する。ここで、図９は、本実施形態によるデジタルカメラの合成設定画面表示処理の動作を説明するためのフローチャートである。また、図１０（ａ）〜（ｃ）は、合成設定画面表示処理における表示例を示す模式図である。
【００５０】
合成設定画面表示処理では、まず、図１０（ａ）に示す親子画面選択画面を表示する（ステップＳ６０）。該親子画面選択画面では、前回（１回目）の撮影動画と今回（２回目）の撮影動画とをどのように合成するか、すなわち、前回の撮影動画を子画面とし、今回の撮影動画を親画面とするか、あるいは今回の撮影動画を子画面とし、前回の撮影動画を親画面とするかを選択する。ユーザは、カーソルキー（十字キーなど）により選択する。現在選択されている方には、矢印マーカ３００で示される。
【００５１】
次に、親子画面選択画面で設定操作が検出されたか否かを判断し（ステップＳ６２）、設定操作が検出されなければ、ステップＳ６０に戻り、上記処理を繰り返す。一方、親子画面選択画面で設定操作が検出されると、そのとき選択されている親子画面の関係を、ＲＡＭ３５の合成設定テーブルに登録する（ステップＳ６４）。なお、図１１は、合成設定テーブルのデータ構成例を示す概念図である。図において、親子画面の関係が「０」の場合、前回の撮影動画が子画面となり、「１」の場合、今回の撮影動画が子画面となることを示す。
【００５２】
次に、図１０（ｂ）に示す子画面大きさ設定画面を表示する（ステップＳ６６）。該子画面大きさ設定画面では、初期値の子画面３０１が表示される。ユーザは、カーソルキー（十字キーなど）を操作して、子画面３０１を縮小または拡大する。なお、縦横比は固定となっている。次に、子画面大きさ設定画面で設定操作が検出されたか否かを判断する（ステップＳ６８）。
【００５３】
ここで、設定操作が検出されると、次に、図１０（ｃ）に示す子画面位置設定画面を表示する（ステップＳ７０）。ここで、該子画面位置設定画面では、上記子画面大きさ設定画面で設定した大きさの子画面３０１が表示される。ユーザは、カーソルキー（十字キーなど）を操作して、子画面３０１の位置を上下左右に移動させる。次に、子画面位置設定画面で設定操作が検出されたか否かを判断する（ステップＳ７２）。そして、設定操作が検出されると、上述した子画面大きさ設定画面で指定した大きさと、上記子画面位置設定画面で指定した位置とを、図１１に示すように、親画面の画角内における子画面の座標としてＲＡＭ３５の合成設定テーブルに登録する（ステップＳ７４）。その後、当該処理を終了して前述したメインルーチンに戻る。
【００５４】
このように、本実施形態では、子画面の大きさと子画面の位置とはセットで設定可能となっており、いずれか一方のみを指定することはできないようになっている。
【００５５】
一方、上記子画面大きさ設定画面で設定操作がなされなかった場合には、デフォルト選択が検出されたか否かを判断する（ステップＳ７６）。「デフォルト」が選択された場合には、図１１に示すように、２回目の撮影時に、親画面に再生表示される動画に対して、フレーム間予測により変化の小さな位置に子画面を合成させるように設定する（ステップＳ７８）。この場合、結果として、撮影中に子画面があちらこちらにジャンプすることになる。その後、当該処理を終了して前述したメインルーチンに戻る。
【００５６】
上述した実施形態によれば、。
【００５７】
なお、上述した実施形態では、デジタルカメラによる動画撮影で説明したが、これに限らず、携帯電話やシリコンムービカメラなどによる動画撮影であってもよい。また、上述した実施形態では、１回目、２回目とも動画としたが、いずれか一方は静止画であってもよい。
【図面の簡単な説明】
【００５８】
【図１】本発明の第１実施形態によるデジタルカメラの構成を示すブロック図である。
【図２】本実施携帯によるデジタルカメラの動作を説明するためのフローチャートである。
【図３】本実施携帯によるデジタルカメラの動作を説明するためのフローチャートである。
【図４】本実施携帯によるデジタルカメラの動作を説明するためのフローチャートである。
【図５】１回目の動画撮影時のスルー表示の表示例を示す模式図である。
【図６】２回目の動画撮影終了後のスルー表示の表示例を示す模式図である。
【図７】合成画面（子画面、親画面）設定直後のスルー表示の表示例を示す模式図である。
【図８】２回目の動画撮影時のスルー表示の表示例を示す模式図である。
【図９】本実施形態によるデジタルカメラの合成設定画面表示処理の動作を説明するためのフローチャートである。
【図１０】合成設定画面表示処理における表示例を示す模式図である。
【図１１】合成設定テーブルのデータ構成例を示す概念図である。
【符号の説明】
【００５９】
１０  画像取得部（撮像手段、撮像部）
１１  レンズ
１２  シャッター
１３  ＬＰＦ
１４  ドライバ
１５  アナログ信号処理部
１６  撮像センサ
１７  サンプリング／信号増幅処理部
１８  Ａ／Ｄコンバータ
２０  制御部（表示制御手段、選択手段、表示位置設定手段、表示サイズ設定手段、比較手段、変更手段）
２２  プレビューエンジン
２３  Ｄ／Ａコンバータ
２４  ドライバ
２５  表示部（表示手段、経過時間表示手段）
２６  イメージバッファ（記憶手段、第１のメモリ）
２７  キー操作部
２８  デジタル信号処理部
２９  画像圧縮／伸張処理部
３０  プログラムメモリ
３１  画像メモリ（動画記憶手段、第２のメモリ）
３２  カードＩ／Ｆ
３３  外部記録媒体
３４  外部接続Ｉ／Ｆ
３５  ＲＡＭ（撮影時間記憶手段）
【図１】
0004678273.tif 000002
【図２】
0004678273.tif 000003
【図３】
0004678273.tif 000004
【図４】
0004678273.tif 000005
【図５】
0004678273.tif 000006
【図６】
0004678273.tif 000007
【図７】
0004678273.tif 000008
【図８】
0004678273.tif 000009
【図９】
0004678273.tif 000010
【図１０】
0004678273.tif 000011
【図１１】
0004678273.tif 000012